(57)【要約】【課題】制御盤の全体が水没しそうになった場合には、浮上させて浸水による被害を最小限に喰い止めることである。【解決手段】浸水時に浮上可能なように地下設置型制御盤Ｃを中二階部（地下室）８に設置する装置であって、前記地下設置型制御盤Ｃは、前記中二階部８の周壁部（壁面）５に上下方向に設けられた複数本の案内ポール１２に連結具Ｄ１  ，Ｄ２  を介して昇降可能に連結された構成とする。【選択図】        図４
2004278096.tif 000002
【特許請求の範囲】
【請求項１】
浸水時に浮上可能なように地下設置型制御盤を地下室に設置する装置であって、
前記地下設置型制御盤は、前記地下室の壁面に上下方向に設けられた複数本の案内手段に連結具を介して昇降可能に連結されていることを特徴とする地下設置型制御盤の設置装置。
【請求項２】
前記地下設置型制御盤は、制御盤本体と、この全体を上方から覆って収納する収納容器とからなって、
前記案内手段に連結具を介して連結された収納容器は、天井部に設けられた吊下げ手段に吊り下げられる構成であることを特徴とする請求項１に記載の地下設置型制御盤の設置装置。
【請求項３】
前記案内手段は、２本のポールであることを特徴とする請求項１又は２に記載の地下設置型制御盤の設置装置。
【請求項４】
前記地下設置型制御盤は、制御対象機器に対応して複数の制御盤に分割されていて、各分割制御盤は、いずれも案内手段に対して昇降可能に連結されていることを特徴とする請求項１ないし３のいずれかに記載の地下設置型制御盤の設置装置。
【請求項５】
前記地下室は、地下道の排水ピットの上部に設けられた中二階部であることを特徴とする請求項１ないし４のいずれかに記載の地下設置型制御盤の設置装置。
【発明の詳細な説明】
【０００１】
【発明の属する技術分野】
本発明は、浸水時に浮上可能なように地下設置型制御盤を地下室に設置する装置に関するものである。
【従来の技術】
【０００２】
下水道には、所定間隔毎にマンホールが設置されて、このマンホールの部分において下水をポンプによりポンプアップして、下水道における高低差を随所において確保して下水を下流の汚水処理場まで流している。そして、マンホール内に設置されるマンホールポンプの作動を制御するのに制御盤が必要となる。
【０００３】
制御盤を設置するのに、電気室、或いは自立キュービクルを地上に設けて、これらの内部に収納すると、電気室、或いはキュービクルの設置スペースが必要となる。しかし、交通量の多い市街地では設置場所の確保が困難であるのに加えて、都市景観を損ね、更には交通障害ともなる。
【０００４】
そして、本出願人によって、地中に背丈の低いハンドホールを埋設し、このハンドホール内に制御盤を埋設設置することにより、上記不具合を解消することが提案された。ここで、ハンドホール内には、雨水が浸入して水没することがあるため、制御盤は、その内部に雨水が浸入するのを防止すべく、制御盤本体の全体をその外側から収納容器で覆って収納することにより、ハンドホール内に浸水しても、収納容器の下部の空気は閉じ込められたまま圧縮のみされて、浮上しないことを利用して防水を図る構成のものも本出願人によって提案されている（例えば、特許文献１，２）。
【０００５】
【特許文献１】
特許第３３０４７３１号公報
【特許文献２】
特開２０００−１０４２７１号公報
【０００６】
一方、従来のマンホールポンプの制御盤は、その全ての制御を一つの制御盤で行っていたので、水没等の原因で故障すると、複数のポンプを一つの制御盤で制御している場合には、全てのポンプの制御が行えなくなる不具合もあった。
【０００７】
【発明が解決しようとする課題】
本発明の第１の課題は、制御盤の全体が水没しそうになった場合には、浮上させて浸水による被害を最小限に喰い止めることであり、第２の課題は、各制御機器毎に制御盤を分割させて、制御盤の故障により全機器の制御が不能になるのを防止することである。
【０００８】
【課題を解決するための手段】
上記課題を解決するための請求項１の発明は、浸水時に浮上可能なように地下設置型制御盤を地下室に設置する装置であって、前記地下設置型制御盤は、前記地下室の壁面に上下方向に設けられた複数本の案内手段に連結具を介して昇降可能に連結されていることを特徴としている。
【０００９】
制御盤は、地下室の壁面に沿って上下方向に設けられた複数本の案内手段に連結具を介して昇降可能に連結されているため、集中豪雨等で水位が増して、制御盤の全体が水没しそうになると、制御盤は、これに作用する浮力により案内手段に案内されて上昇すると共に、排水により水位が下がった場合には、制御盤は、水位の低下に応じて下降して正規の位置にセットされる。
【００１０】
また、請求項２の発明は、請求項１の発明において、前記地下設置型制御盤は、制御盤本体と、この全体を上方から覆って収納する収納容器とからなって、前記案内手段に連結具を介して連結された収納容器は、天井部に設けられた吊下げ手段に吊り下げられる構成であることを特徴としている。
【００１１】
請求項２の発明によれば、制御盤のメンテナンス等を行う場合には、制御盤本体の全体を収納している収納容器のみを天井部まで上昇させて、当該天井部に設けられた吊下げ手段に吊り下げておく。これにより、制御盤の設置部が地下室の狭隘な部分であっても、制御盤本体から取り外された収納容器を上部空間に吊り下げて、その周辺に設置する必要がないので、取り外した収納容器が邪魔になることなく、メンテナンス等の諸作業を行える。
【００１２】
また、請求項３の発明は、請求項１又は２の発明において、前記案内手段は、２本のポールであることを特徴としている。
【００１３】
請求項３の発明によれば、案内手段が最少本数の２本のポールであるので、制御盤を安定して昇降させられると共に、メンテナンス等の際に案内手段が邪魔になることもない。
【００１４】
また、請求項４の発明は、請求項１ないし３のいずれかの発明において、前記地下設置型制御盤は、その制御対象機器に対応して複数の制御盤に分割されていて、各分割制御盤は、いずれも案内手段に対して昇降可能に連結されていることを特徴としている。
【００１５】
請求項４の発明によれば、浸水等により特定の分割制御盤が故障しても、残りの分割制御盤は正常な場合には、正常な分割制御盤の制御に係る制御機器の作動が可能となるので、制御盤の故障により全ての制御機器が作動不能になるのを防止できる。
【００１６】
また、請求項５の発明は、請求項１ないし４のいずれかの発明において、前記地下室は、地下道の排水ピットの上部に設けられた中二階部であることを特徴としている。
【００１７】
地下道の排水ピットは、集中豪雨により急激に水位が上昇し易いために、その中二階部に設置した制御盤は水没し易いが、水位の上昇により制御盤が水没しそうになった場合には、作用する浮力により制御盤が上昇する。このため、水没による制御盤の被害を最小限に喰い止められる。
【００１８】
【発明の実施の形態】
以下、複数の実施形態を挙げて、本発明を更に詳細に説明する。図１は、アンダーパス車道（地下道）Ｅの側方の排水ピット１の中二階部８にポンプ制御盤Ｃが設置された状態の正面図であり、図２は、同じく側面図であり、図３は、同じく平面図であり、図４は、排水ピット１の中二階部８の床材６に設置されたポンプ制御盤Ｃを構成する４基の分割制御盤Ｃ１  〜Ｃ４  のうちの２基の斜視図であり、図５は、前記床材６に設置されたポンプ制御盤Ｃを背面側から見た斜視図である。
【００１９】
図１ないし図３において、アンダーパス車道（地下車道）Ｅの側方には、このアンダーパス車道Ｅよりも深い位置に底面を有する断面方形状の排水ピット１が設けられている。この排水ピット１には、周辺の雨水が集水貯留され、その高さ方向の中央部は仕切壁部２で上下で仕切られて、仕切壁部２の下方は下水を貯水する貯水室３となっている。仕切壁部２の上方の機器収納部４の上部には、その二辺が前記排水ピット１の周壁部５に支持されて、他の二辺が片持ち状となって床材６が水平に配置され、該床材６と、表面が地表面Ｇとなった天井部７とで形成される空間が中二階部８となっている。貯水室３の底部には、第１ないし第３の各ポンプＰ１  ，Ｐ２  ，Ｐ３  が設置され、各ポンプＰ１  ，Ｐ２  ，Ｐ３  で吸引された下水Ｗは、それぞれ吸引管９を介して共通の流出管１１まで吸引され、該流出管１１を経て排水ピット１の外部に流出される。吸引管９は、垂直に配置されて、仕切壁部２を貫通して機器収納部４に達していて、流出管１１は、機器収納部４の上部に水平に配置されて、複数本の吸引管９の上端部と連結されている。なお、図１、図２及び図１１において、Ｓは、排水ピット１に貯水された下水Ｗの液面を示す。
【００２０】
また、排水ピット１には、これに貯留された下水Ｗの水位（Ｈ１）を測定するための投入式とフリクト式の各水位計Ａ１  ，Ａ２  がそれぞれ設置されている。投入式水位計Ａ１  は、水圧を検知して、その水位をアナログデータで出力する構成のものであり、フリクト式水位計Ａ２  は、水位が設置位置に達しない状態では「ＯＦＦ」で、設置位置を超えると「ＯＮ」となる構成である。水位計Ａ１  から出力された「水位データ」は、後述の全体制御盤Ｃ４  による各ポンプＰ１  ，Ｐ２  ，Ｐ３  の通常時の制御に用いられ、水位計Ａ２  から出力された「水位データ」は、主として水位計Ａ１  が故障した場合等において用いられる。
【００２１】
また、前記中二階部８を構成する長手方向の周壁部５には、２本が一組となった案内ポール１２が上下方向に設けられていて、その上下端部は、固定プレート１３を介して床材６の表面、及び天井部７の天井面に固定されたボールブラケット１４にそれぞれ嵌合挿入されて固定されている。また、本実施形態のポンプ制御盤Ｃは、前記した第１ないし第３の各ポンプＰ１  ，Ｐ２  ，Ｐ３  に供給する動力（電力）を制御する第１ないし第３の各動力供給制御盤Ｃ１  〜Ｃ３  と、各動力供給制御盤Ｃ１  〜Ｃ３  の制御を含めて全体を制御する全体制御盤Ｃ４  とに分割されている。第１ないし第３の各動力供給制御盤Ｃ１  〜Ｃ３  及び全体制御盤盤Ｃ４  は、いずれも全体形状は同一であって、２本で一組となった案内ポール１２の前面に設置されて、後述の上側及び下側の各連結具Ｄ１  ，Ｄ２  を介して二本一組の案内ポール１２に昇降可能に連結される。なお、中二階部８の高さ（Ｈ２）〔図２参照〕は、分割された各制御盤Ｃ１  〜Ｃ４  の大きさによっても異なるが、１．８ｍ程度であることが多い。
【００２２】
また、各制御盤Ｃ１  〜Ｃ４  は、いずれも制御盤本体１５と、この制御盤本体１５の全体を収納して、これと一体に連結される釣鐘状の収納容器１６とで構成される。制御盤本体１５は、複数本の支持脚１７を備えた支持台１８に制御機器取付板１９が垂直に設けられて、該制御機器取付板１９に多数の制御機器（図示せず）が取付けられた構成である。一方、収納容器１６は、その内部に制御盤本体１５を収納可能なように、上面が閉塞されて、底面が開口された釣鐘状となっていて、その内周面における前記制御盤本体１５の上面周縁に当接する部分には、リング状のシール材２１（図１０参照）が固着されている。そして、収納容器１６の内部に制御盤本体１５の全体を収納して、収納容器１６のシール材２１が制御盤本体１５の支持台１８の上面周縁に当接した状態で、収納容器１６の下端部外周縁に設けられた複数の固定ブラケット２２と、制御盤本体１５の各支持脚１７の下端部外面に設けられた固定ブラケット２３との各密着板部を密着させて、両密着板部をボルト２４及びナット２５を介して一体に連結すると、制御盤本体１５は、収納容器１６の内部に全体が収納されて、該収納容器１６と一体となる。また、収納容器１６の上面の中央部には、制御盤本体１５から分離させた単体状態で収納容器１６を天井部７のフック２６に引っ掛けて、収納容器１６を吊り下げるための引掛リング２７が取付けられている。このフック２６は、中二階部８の床材６に設置された各制御盤Ｃ１  〜Ｃ４  の直上に配置されている。
【００２３】
この構成により、各制御盤Ｃ１  〜Ｃ４  が水没されても、収納容器１６の内部は、支持台１８の部分でシール材２１により上下に水密及び気密を保持して分離されているため、制御盤本体１５の支持台１８の下方の空間部２８の空気が水圧により圧縮されるのみで、収納容器１６における支持台１８よりも上方の部分に水が浸入することはない。これにより、収納容器１６の内部の制御機器取付板１９の部分は、防水構造となる。
【００２４】
図６ないし図９に示されるように、各制御盤Ｃ１  〜Ｃ４  の収納容器１６の上端部は、連結具Ｄ１  を介して二本一組となった案内ポール１２に連結されていると共に、その下端部は、連結具Ｄ２  を介して二本一組となった案内ポール１２に連結されている。即ち、収納容器１６の上端部の外側には、周方向に沿って等間隔をおいて複数個のブラケット２９が固設されていて、収納容器１６の上端部の外側に、断面コの字形をした連結リング体３１が嵌め込まれて、前記各ブラケット２９の水平板部２９ａに対してボルト３０により固定されている。二本一組となった案内ポール１２の外側には、それぞれ短円筒状をした昇降筒３２が所定の隙間を有して嵌め込まれ、二本一組の案内ポール１２の外側に嵌め込まれた２本の昇降筒３２と、収納容器１６の外側に嵌着された前記連結リング体３１とは、第１及び第２の各サドル体３３，３４から成るサドルユニット３５を介して一体に連結されている。
【００２５】
第１サドル体３３は、上下面をリブ３３ａで補強された平板部３３ｂの一端部に、円弧状をした連結板部３３ｃが垂直となって固着されていると共に、その他端部に、前記昇降筒３２の外側を挟着する半円筒体状のサドル部３３ｄが固着された構成である。サドル部３３ｄの横方向の両端には、フランジ状をした連結板部３３ｅがそれぞれ一体に設けられている。また、第２サドル体３４は、昇降筒３２の外側を挟着する半円筒体状のサドル部３４ｄの両端部に連結板部３４ｅがそれぞれ一体に設けられた構成である。
【００２６】
そして、第１サドル体３３の連結板部３３ｃは、連結リング体３１の外側に固着された円弧状をした連結板３６に対して複数本のボルト３７により連結されていると共に、第１及び第２の各サドル体３３，３４の両側に設けられた連結板部３３ｅ，３４ｅは、複数本のボルト３８により連結される。これにより、収納容器１６の上端部に連結された連結リング体３１は、一対のサドルユニット３５を介して２本の案内ポール１２の外側に嵌め込まれた各昇降筒３２に連結される。
【００２７】
また、図６及び図８に示されるように、下側連結具Ｄ２  は、前記連結リング体３１を二分した形状の一対の連結半リング体３９で構成される。なお、２本の案内ポール１２から離れて配置される側の連結半リング体３９は、わん曲板状となっている。各連結半リング体３９の両端部には、周方向と直交する外側に向けて連結フランジ部３９ａが一体に設けられている。一対の連結半リング体３９は、収納容器１６の下端部の外側に当てがわれて、各連結フランジ部３９ａをボルト４０で連結してリング状とすることにより、収納容器１６の下端部に一体に取付けられる。収納容器１６の下端部に取付けられた一対の連結半リング体３９の一方は、上記した連結リング体３１と同様にして一対のサドルユニット３５を介して案内ポール１２の外側に嵌め込まれた各昇降筒３２に連結される。また、一対の連結半リング体３９には、これをリング状に連結した状態で下降するのを防止するために、それぞれ１又は２本の下降防止脚５０が下方に向けて一体に取付けられていて、一対の連結半リング体３９が収納容器１６の外側に嵌め込まれて連結された状態で、前記下降防止脚５０は、収納容器１６の下端部の固定ブラケット２２に支持される（図４参照）。
【００２８】
これにより、各制御盤Ｃ１  〜Ｃ４  は、その収納容器１６の部分において、上側及び下側の各連結具Ｄ１  ，Ｄ２  を介して二本一組となった案内ポール１２に対して昇降可能に連結される。
【００２９】
また、図５に示されるように、中二階部８を構成する床材６の自由端側の周縁部には、安全柵４１が設けられている。また、図２及び図３に示されるように、排水ピット１内の仕切壁部２のコーナー部には、集中豪雨等の際に、貯水室３が下水で充満される場合に、上方の機器収納部４に貯水可能にするための連通孔４２が形成され、排水ピット１の周壁部５には、前記連通孔４２の部分を通って、地表面Ｇに通じる階段４３が設けられている。なお、図１ないし図３において、４４，４５は、それぞれ地表面Ｇに設けられた点検員出入用、及び機器搬入搬出用の開口を示す。
【００３０】
次に、図１３を参照して、排水ピット１に貯水された下水Ｗの排水のシステムについて簡単に説明する。地上には、操作パネル５１により操作可能な引込計器盤５２が設置され、引込計器盤５２及び各動力供給制御盤Ｃ１  〜Ｃ３  を介して各ポンプＰ１  〜Ｐ３  に動力（電力）が供給される。排水ピット１内に設置された水位計Ａ１  の「水位データ」は、全体制御盤Ｃ４  の変換器５３に入力されて電流値等に変換された後に、各動力供給制御盤Ｃ１  〜Ｃ３  に入力されると共に、各ポンプＰ１  〜Ｐ３  の「内部故障データ」は、内部故障データ出力源Ｑ１  〜Ｑ３  から出力されて、全体制御盤Ｃ４  のコントローラ５４に入力されて、各ポンプＰ１  〜Ｐ３  を制御している。また、地上で操作パネル５１を操作して出力された「操作データ」は、全体制御盤Ｃ４  を通って各動力供給制御盤Ｃ１  〜Ｃ３  に入力されることにより、地上において、各ポンプＰ１  〜Ｐ３  の制御を可能にしていると共に、各ポンプＰ１  〜Ｐ３  の前記「内部故障データ」は、引込計器盤５２に出力されて、地上において、各ポンプＰ１  〜Ｐ３  の故障内容を把握可能にしている。更に、全体制御盤Ｃ４  には、遠方監視装置５５が内蔵され、一般電話回線等を介して遠方監視所５６において各ポンプＰ１  〜Ｐ３  の故障状況等が監視可能になっている。
【００３１】
そして、通常時には、排水ピット１の貯水室３に流れ込んで貯水された下水Ｗの水位（Ｈ１）が水位計Ａ１  で検出されて、その「水位データ」が全体制御盤Ｃ４  を経て各ポンプＰ１  〜Ｐ３  の各制御盤Ｃ１  〜Ｃ３  に入力されて、各ポンプＰ１  〜Ｐ４  の起動・停止が繰り返されて、前記水位（Ｈ１）は常に設定値に保持される。また、分割された各制御盤Ｃ１  〜Ｃ４  は、図１０に示されるように、中二階部８の床材６の上の所定位置に設置されている。
【００３２】
また、集中豪雨等の場合には、大量の雨水が排水ピット１内に流れ込んで、各ポンプＰ１  〜Ｐ４  の排水量を超える雨水が流入することにより、その水位（Ｈ１）が上昇して、仕切壁部２の連通孔４２を通って機器収納部４に流れ込んで、この部分の水位が上がる。これにより、分割された各制御盤Ｃ１  〜Ｃ４  は、いずれも二本一組の案内ポール１２に昇降可能に案内されているので、図１１で実線で示されるように、各制御盤Ｃ１  〜Ｃ４  は、その全体が水没されることなく、浮力によって水位の変化に応じて案内ポール１２に案内されて昇降する。各制御盤Ｃ１  〜Ｃ４  は、水没されても、収納容器１６の下部に形成された空間部２８の空気が漏れることなく圧縮されるために、防水が図られると共に、釣鐘状の収納容器１６の内部には、シール材２１による防水構造によって水及び空気の浸入はないので、その浮力は極めて大きい。よって、各制御盤Ｃ１  〜Ｃ４  は、浸水により全体が水没しないことは勿論のこと、浸水により浮上しても、上記理由により、その浸水深さは比較的短いので、浸水による被害は最小限に喰い止められる。
【００３３】
また、各ポンプＰ１  〜Ｐ３  により排水ピット１内の下水Ｗが排水されて、機器収納部４における水位が低くなると、これに対応して各制御盤Ｃ１  〜Ｃ４  は、案内ポール１２に案内されて下降すると共に、機器収納部４における水位が一定以下となると、床材６に設置された原状態となる。
【００３４】
また、各制御盤Ｃ１  〜Ｃ４  のメンテナンスが必要な場合には、図１２に示されるように、制御盤本体１５と収納容器１６との連結を解いて、収納容器１６のみを上昇させて、その上端面に取付けられた引掛リング２７を、天井部７のフック２６に引っ掛けることにより、収納容器１６を天井部７に吊り下げる。これにより、各制御盤Ｃ１  〜Ｃ４  の設置部が中二階部８の狭隘な部分であっても、制御盤本体１５から取り外された収納容器１６を上部空間に吊り下げて、その周辺に設置する必要がないので、取り外した収納容器１６が邪魔になることなく、メンテナンス等の諸作業を行える。なお、図１２において、５７は、各制御盤Ｃ１  〜Ｃ４  に給電するための電線を示す。
【００３５】
また、上記実施形態のように、ポンプ制御盤Ｃを、ポンプＰ１  〜Ｐ３  の数に対応した動力供給制御盤Ｃ１  〜Ｃ３  と、全体を制御する全体制御盤Ｃ４  とに分割しておくと、複数の動力供給制御盤Ｃ１  〜Ｃ３  のうち特定のものが故障して、これにより制御されるポンプが作動しなくなっても、残りの正常な動力供給制御盤により制御されるポンプによって排水可能である。このため、一つのポンプ制御盤の故障により、これにより制御される複数のポンプの全てが作動不能になるのを防止できる。
【００３６】
また、上記実施形態のポンプ制御盤Ｃは、複数の制御盤に分割され、全体として必要な機能を奏する構成のものであるが、一つで必要な機能の全てを奏する制御盤に対して本発明を実施することも可能である。
【００３７】
また、上記実施形態では、アンダーパス車道の側方に設けられた排水ピットの中二階部にポンプ制御盤を設置するものであるが、浸水による浮力により制御盤を浮上可能に設置する地下室としては、これに限定されない。例えば、大型のマンホールの側方に設けた地下室に制御盤を上記浮上構造で設置することも可能である。
【００３８】
【発明の効果】
本発明は、地下室の壁面に上下方向に設けられた複数本の案内ポールに連結具を介して制御盤が昇降可能に連結されていて、集中豪雨等で水位が増して、制御盤の全体が水没しそうになると、制御盤は、これに作用する浮力により案内手段に案内されて上昇すると共に、排水により水位が下がった場合には、制御盤は、水位の低下に応じて下降して正規の位置にセットされるので、制御盤全体が水没されることがなくなって、水没による被害が最小限に喰い止められる。
【図面の簡単な説明】
【図１】アンダーパス車道（地下道）Ｅの側方の排水ピット１の中二階部８にポンプ制御盤Ｃが設置された状態の正面図である。
【図２】同じく側面図である。
【図３】同じく平面図である。
【図４】排水ピット１の中二階部８の床材６に設置されたポンプ制御盤Ｃを構成する４基の制御盤単体Ｃ１  〜Ｃ４  のうちの２基の斜視図である。
【図５】前記床材６に設置されたポンプ制御盤Ｃを背面側から見た斜視図である。
【図６】分割された制御盤Ｃ１（Ｃ２  〜Ｃ４）を二本一組の案内ポール１２に上側及び下側の各連結具Ｄ１  ，Ｄ２  を介して連結される構造を示す分解斜視図である。
【図７】二本一組の案内ポール１２に上側及び下側の各連結具Ｄ１  ，Ｄ２  を介して連結された制御盤Ｃ１（Ｃ２  〜Ｃ４）の平面図である。
【図８】同じく背面図である。
【図９】図８のＸ−Ｘ線拡大断面図である。
【図１０】中二階部８に制御盤Ｃ１（Ｃ２  〜Ｃ４）が設置された状態の側面図である。
【図１１】制御盤Ｃ１（Ｃ２  〜Ｃ４）が水没により浮上した状態の側面図である。
【図１２】メンテナンスのために制御盤Ｃ１（Ｃ２  〜Ｃ４）の収納容器１６のみを天井部７に吊り下げた状態の側面図である。
【図１３】分割された制御盤Ｃ１  〜Ｃ４  を用いた排水システムを示す図である。
【符号の説明】
Ｃ：ポンプ制御盤
Ｃ１  〜Ｃ３  ：動力供給制御盤（分割制御盤）
Ｃ４  ：全体制御盤（分割制御盤）
１：排水ピット
７：天井部
８：中二階部（地下室）
１２：案内ポール（案内手段）
１５：制御盤本体
１６：収納機器
２６：フック（吊下げ手段）
２７：引掛リング
【図１】
2004278096.tif 000003
【図２】
2004278096.tif 000004
【図３】
2004278096.tif 000005
【図４】
2004278096.tif 000006
【図５】
2004278096.tif 000007
【図６】
2004278096.tif 000008
【図７】
2004278096.tif 000009
【図８】
2004278096.tif 000010
【図９】
2004278096.tif 000011
【図１０】
2004278096.tif 000012
【図１１】
2004278096.tif 000013
【図１２】
2004278096.tif 000014
【図１３】
2004278096.tif 000015